(57)【要約】【課題】製品コストの抑制に寄与することができるコードリールアセンブリを提供する。【解決手段】リールドラム３９の回転中心には案内部材５１が固定されている。案内部材５１には、リールドラム３９の回転軸上に位置する第１開口５２、および、この第１開口から離れた第２開口５３が形成されている。コード２６は、第１開口５２および第２開口５３を通過し、第１開口５２および第１端２６ａの間でリールベース３６に固定され、第２開口５３および第２端２６ｂの間でリールドラム３９に固定され、リールドラム３９に固定された位置４９から第２端２６ｂの側でリールドラム３９に巻き回されている。【選択図】図６
2011193950.tif 000002
【特許請求の範囲】
【請求項１】
リールベースと、
前記リールベースに回転自在に装着されるリールドラムと、
前記リールドラムに固定され、前記リールドラムの回転軸上に位置する第１開口、および、この第１開口から離れた第２開口を有する案内部材と、
第１端および第２端を有して前記第１開口および前記第２開口を通過し、前記第１開口および前記第１端の間で前記リールベースに固定され、前記第２開口および前記第２端の間で前記リールドラムに固定され、前記リールドラムに固定された位置から前記第２端側で前記リールドラムに巻き回されるコードと
を備えることを特徴とするコードリールアセンブリ。
【請求項２】
請求項１に記載のコードリールアセンブリにおいて、
前記コードは、
絶縁体で覆われる複数本の細線と、
前記コードのうち前記リールドラムに巻き回される部分にて、前記細線を一括して収容するシースを備えており、
前記細線は、前記コードが前記リールドラムに固定された前記位置から前記リールベースに固定された位置までは、前記シースに収容されずに露出している
ことを特徴とするコードリールアセンブリ。
【請求項３】
請求項１または請求項２に記載のコードリールアセンブリにおいて、
前記コードの前記第２端側の部分が前記リールベースから引き出されるときに、前記リールドラムが前記リールベースに対して回転し、前記リールドラムの回転に伴い、前記コードのうち、前記リールドラムに固定された前記位置から前記リールベースに固定された位置までの部分が捻られる
ことを特徴とするコードリールアセンブリ。
【請求項４】
請求項１から請求項３のいずれか１項に記載のコードリールアセンブリと、
プラットフォームを有しており、前記コードリールアセンブリのリールベースが固定されている本体と、
生体が把持する把持ユニットと、
前記把持ユニットに組み込まれて前記コードの前記第２端に接続され、前記生体に電流を供給する電流電極と、
前記把持ユニットに組み込まれて前記コードの前記第２端に接続され、前記生体に接触する電圧電極と、
前記本体内に組み込まれて前記コードの前記第１端に接続され、前記電圧電極に与えられた電圧と前記電流に基づいて前記生体のインピーダンスを示すインピーダンス信号を生成するインピーダンス測定回路と
を備えることを特徴とする生体指標測定装置。
【発明の詳細な説明】
【技術分野】
【０００１】
本発明はコードリールアセンブリおよび生体指標測定装置に関する。
【背景技術】
【０００２】
従来、掃除機または炊飯器のような電気機器には、外部の電源アウトレットに差し込まれるソケットが一端部に接続されたコードが巻き回されたコードリールアセンブリが内蔵されている。コードリールアセンブリは、回転可能に支持されたコードリールを有しており、コードの引き出しおよび巻き戻しが可能である。例えば特許文献１に開示されたコードリールアセンブリにおいては、ソケットが一端部に接続されているコードの他端部に可動接点が電気的に接続されている。可動接点はコードリールとともに回転する。電気機器に内蔵され電力が供給されるモータ、ヒータ、プロセッサ、その他の電気部品は、固定接点に電気的に接続されている。可動接点と固定接点は、摺動可能に常に接触しており、可動接点がコードリールとともに回転しても、電源アウトレットから電機部品への電力供給が維持される。
【０００３】
しかし、このタイプのコードリールアセンブリでは、可動接点と固定接点の間の接触抵抗がコードリールの回転および電気機器の振動に伴って変化する。そのため、電気機器に内蔵され電力が供給される電気部品に与えられる電圧と電流が変化する。このことは、精密電子機器および電気信号を用いて測定を行う電気機器では、望ましくない。特に測定機器では、電気信号の電圧と電流の少なくとも一方が変化し、測定結果の信頼性の低下を招く。
【０００４】
そこで、特許文献２の第３図および第４図に開示されたダミーコードと呼ばれるさらなるコードを持つコードリールアセンブリが提案された。このタイプのコードリールアセンブリはリールドラムを備える。リールドラムは、その回転軸に直交する平面に沿って広がる板材と、板材の表面側にある大径の第１ドラムと、板材の裏面側にある第１ドラムよりも小径の第２ドラムとを有する。板材と第１および第２のドラムは一緒に回転するリールドラムを構成する。板材にはコードが通る孔が形成されており、コードは板材の表面にて第１ドラムの周囲に巻き回され、板材の裏面にて第２ドラムの周囲に巻き回されている。
【０００５】
板材の両方の面はカバーで覆われる。コードのうち第１ドラムに巻き回されている部分も、第２ドラムに巻き回されている部分もカバーから突出しており、両方の部分とも外部の電力供給源または電力が供給される電気部品に接続されるのが容易になっている。第１ドラムに巻き回されたコード部分については、巻き回しの外側部分がカバーから突出しており、かつ巻き回しの内側部分がリールドラムと相対回転不能に第１ドラムに巻き回されている。従って、第１ドラムの周囲に巻き回されたコード部分は、リールドラムとともに回転可能であって、カバーから伸縮可能（すなわち延び出しおよび巻き戻し可能）である。
【０００６】
但し、第２ドラムの周囲に巻き回されたコード部分については、巻き回しの内側部分がリールドラムとは相対回転可能であって、その部分がカバーから突出している。従って、第２ドラムの周囲に巻き回されたコード部分は、カバーから伸縮不可能である。第２ドラムに巻き回されたコード部分がダミーコードと呼ばれる。第２ドラムの周囲に巻き回されたコード部分の巻き回しの外側部分は、第１ドラムの周囲に巻き回されたコード部分の巻き回しの内側部分に連なっており、リールドラムに固定され、リールドラムと相対回転不能である。
【０００７】
第１ドラムに巻き回されたコード部分を引っ張ると、リールドラムが回転し、そのコード部分のカバーからの延び出しを許容する。同時に、第２ドラムに巻き回されたダミーコードの巻き回しがゆるむ。但し、ダミーコードのカバーから突出した部分は、リールドラムの回転にかかわらず、カバーに対して動かない。
【先行技術文献】
【特許文献】
【０００８】
【特許文献１】実公昭６２−１９３２１号公報
【特許文献２】実開平２−７５４７５号公報
【発明の概要】
【発明が解決しようとする課題】
【０００９】
特許文献２に記載のコードリールアセンブリでは、第１ドラムに巻き回されたコード部分の長さで伸縮可能な使用長さは決定される。第２ドラムに巻き回されたコード部分はコードの伸縮に寄与しない。その結果、コードには最大使用長さの２倍程度の長さが必要とされる。コードの長さが増大するほど、コードリールアセンブリの製品コストは増大する。
【００１０】
そこで、本発明は、製品コストの抑制に寄与することができるコードリールアセンブリおよびこれを用いた生体指標測定装置を提供する。
【課題を解決するための手段】
【００１１】
本発明に係るコードリールアセンブリは、リールベースと、前記リールベースに回転自在に装着されるリールドラムと、前記リールドラムに固定され、前記リールドラムの回転軸上に位置する第１開口、および、この第１開口から離れた第２開口を有する案内部材と、第１端および第２端を有して前記第１開口および前記第２開口を通過し、前記第１開口および前記第１端の間で前記リールベースに固定され、前記第２開口および前記第２端の間で前記リールドラムに固定され、前記リールドラムに固定された位置から前記第２端側で前記リールドラムに巻き回されるコードとを備える。
本発明では、コードの第２端側の部分がリールベースに対して伸縮可能である。その部分がリールベースから引き出されると、リールドラムは回転軸回りで回転する。リールドラムが回転するにつれて案内部材の第２開口は第１開口回りで回転する。リールドラムの回転に伴う案内部材の第２開口の回転に伴って、コードのうちのリールドラムに固定された位置からリールベースに固定された位置までの部分の捻れが許容される。コードの第２端側の部分はスムースに限界までリールベースから引き出される。リールベースでは、コードのリールドラムに固定されている位置から案内部材の第２開口までリールドラムの半径線にほぼ沿ってコードは常に延びている。また、コードのリールベースに固定されている位置から案内部材の第１開口までリールドラムの半径線にほぼ沿ってコードは常に延びている。リールドラムの回転にかかわらず、コードのうちのリールドラムに固定された位置からリールベースに固定された位置までの部分までの長さは不変である。本発明によれば、従来のダミーコードを設ける場合に比べて、コードの長さは著しく短縮される。その結果、コードリールの製品コストは低減される。
【００１２】
こういったコードリールでは、好ましくは、前記コードは、絶縁体で覆われる複数本の細線と、前記コードのうち前記リールドラムに巻き回される部分にて、前記細線を一括して収容するシースを備えており、前記細線は、前記コードが前記リールドラムに固定された前記位置から前記リールベースに固定された位置までは、前記シースに収容されずに露出している。
コードがリールドラムに固定されている位置とリールベースに固定されている位置との間では、細線が剥き出しであることから、シースで覆われる場合に比べて、コードは捻れやすい。コードの引き出しにあたって捻れの抵抗は抑制される。コードはスムースに限界まで引き出される。
【００１３】
こういったコードリールは例えば生体指標測定装置で利用される。このような生体指標測定装置は、前記のコードリールと、プラットフォームを有しており、前記コードリールのリールベースが固定されている本体と、生体が把持する把持ユニットと、前記把持ユニットに組み込まれて前記コードの前記第２端に接続され、前記生体に電流を供給する電流電極と、前記把持ユニットに組み込まれて前記コードの前記第２端に接続され、前記生体に接触する電圧電極と、前記本体内に組み込まれて前記コードの前記第１端に接続され、前記電圧電極に与えられた電圧と前記電流に基づいて前記生体のインピーダンスを示すインピーダンス信号を生成するインピーダンス測定回路とを備える。つまり、把持ユニットと本体との間のコードを伸縮自在にするためにコードリールが利用されうる。
【図面の簡単な説明】
【００１４】
【図１】電気製品および電子機器の一具体例すなわち体組成計を概略的に示す斜視図である。
【図２】把持ユニットが引き出された状態で体組成計を概略的に示す斜視図である。
【図３】体組成計の下面図である。
【図４】コードリールアセンブリの一実施形態を示す横断面図である。
【図５】図４のV-V線矢視断面図である。
【図６】コードリールアセンブリを示す斜視図である。
【図７】図６よりもコードが引き出された状態のコードリールアセンブリを示す斜視図である。
【図８】他の実施形態に係る体組成計を示す平面図である。
【図９】図８よりもコードが引き出された状態の体組成計を示す平面図である。
【発明を実施するための形態】
【００１５】
以下、添付図面を参照しつつ本発明の実施形態を説明する。
図１は電気製品および電子機器の一具体例に係る生体指標測定装置すなわち体組成計１１を示す。体組成計１１は平たい本体１２を備える。本体１２はプラットフォーム１３を備える。
【００１６】
プラットフォーム１３は例えば水平な平坦面を有する。平坦面には左右１対の電流電極１４ａ、１４ｂと左右１対の電圧電極１５ａ、１５ｂとが設置される。電流電極１４ａ、１４ｂおよび電圧電極１５ａ、１５ｂは例えばステンレス鋼といった金属材料その他の導電材から形成される。
【００１７】
体組成の測定にあたって体組成計１１の利用者すなわち被験者はプラットフォーム１３上で直立する。このとき、左足の足裏は左の電流電極１４ａおよび左の電圧電極１５ａに受け止められる。右足の足裏は右の電流電極１４ｂおよび右の電圧電極１５ｂに受け止められる。
【００１８】
本体１２はベース１６を備える。ベース１６は例えばステンレス鋼といった剛体物から形成される。ベース１６は平面視でほぼ矩形に形作られる。矩形の四隅にはそれぞれ台足１７が固定されている。図１には３つの台足１７が図示される。ベース１６は台足１７で床面に支持される。台足１７は、床面に直交する方向にベース１６に対して変位することができる。こうした変位に基づき台足１７の足裏とプラットフォーム１３との距離は調整されうる。調整に応じてプラットフォーム１３の水平姿勢は確立される。水平姿勢が確立されると、プラットフォーム１３の平坦面は重力方向に直交する。台足１７の変位は、例えば重力方向に軸心を有するねじ軸の働きで実現されればよい。
【００１９】
本体１２内にはロードセル（図示されず）が組み込まれる。ロードセルはプラットフォーム１３に連結される。プラットフォーム１３に与えられた荷重は、ロードセルで電気信号に変換される。プラットフォーム１３上で利用者が直立すると、ロードセルは利用者の体重に応じて、重量値を示す電気信号を出力する。
【００２０】
プラットフォーム１３の前方で本体１２には把持ユニット１８が搭載される。把持ユニット１８は本体１２に着脱自在に支持される。把持ユニット１８には例えばディスプレイパネル１９が組み込まれる。ディスプレイパネル１９のスクリーンは把持ユニット１８の表面で露出する。ディスプレイパネル１９のスクリーンには様々な情報が表示される。情報には例えば体重や体脂肪率、筋肉量、体水分量、基礎代謝量、骨量、内臓脂肪レベル、体内年齢といった生体情報が含まれるが、少なくともいずれか１つが含まれればよい。
【００２１】
把持ユニット１８には入力装置２１が組み込まれる。入力装置２１は例えばタッチボタン２１ａを備える。タッチボタン２１ａは把持ユニット１８の表面に配置される。タッチボタン２１ａの操作に応じて様々な電気信号が出力される。電気信号には例えば利用者の指示や入力データが記述される。
【００２２】
図２に示されるように、把持ユニット１８は左右１対の握り２２を備える。個々の握り２２には電流電極２３ａ、２３ｂと電圧電極２４ａ、２４ｂとがそれぞれ設置される。電流電極２３ａ、２３ｂおよび電圧電極２４ａ、２４ｂは例えばステンレス鋼といった金属材料その他の導電材から形成される。体組成の測定にあたって体組成計１１の利用者は左右の握り２２を握る。左手の手のひらは左の握り２２上で電流電極２３ａおよび電圧電極２４ａに接触する。右手の手のひらは右の握り２２上で電流電極２３ｂおよび電圧電極２４ｂに接触する。
【００２３】
把持ユニット１８と本体１２とはコード２６で相互に接続される。後述のコードリールアセンブリの働きで把持ユニット１８と本体１２との間でコード２６の長さは変更される。体組成の測定時、把持ユニット１８は本体１２から引き離される。体組成の測定が終了すると、把持ユニット１８は本体１２上の所定位置に収納される。コード２６は本体１２内に強制的に引き込まれる。したがって、体組成計１１の利用者はコード２６の収納作業から解放され、煩わしさは解消される。
【００２４】
図３に示されるように、コード２６は両端すなわち第１端２６ａおよび第２端２６ｂを有する。コード２６の第１端２６ａには第１コネクター３１が結合されている。第１コネクター３１は本体１２内で基板３２に接続されている。基板３２は、前述のプラットフォーム１３上の電流電極１４ａ、１４ｂおよび電圧電極１５ａ、１５ｂに電気的に接続されている。第１端２６ａおよび第２端２６ｂの間において、コード２６はコードリールアセンブリ３５を通っている。
【００２５】
本体１２内の基板３２には、重量測定回路（図示せず）が形成されている。重量測定回路には前述のロードセルの電気信号が供給される。供給される電気信号に基づき重量測定回路はプラットフォーム１３に加わる重量値を特定する。
【００２６】
コード２６の第２端２６ｂには第２コネクター３３が結合されている。第２コネクター３３は把持ユニット１８内で基板３４に接続されている。基板３４は、前述の把持ユニット１８の電流電極２３ａ、２３ｂおよび電圧電極２４ａ、２４ｂに電気的に接続されている。
【００２７】
本体１２内の基板３２には、インピーダンス測定回路（図示せず）が形成されている。インピーダンス測定回路は、プラットフォーム１３上の電流電極１４ａ、１４ｂおよび電圧電極１５ａ、１５ｂと電気的に接続され、さらに、把持ユニット１８にある電流電極２３ａ、２３ｂおよび電圧電極２４ａ、２４ｂに基板３４とコード２６を通じて電気的に接続されている。
【００２８】
他の実施の形態として、把持ユニット１８内の基板３４にインピーダンス測定回路を形成してもよい。この場合、インピーダンス測定回路は、把持ユニット１８にある電流電極２３ａ、２３ｂおよび電圧電極２４ａ、２４ｂに電気的に接続され、さらに、プラットフォーム１３上の電流電極１４ａ、１４ｂおよび電圧電極１５ａ、１５ｂに基板３２とコード２６を通じて電気的に接続されている。
【００２９】
インピーダンス測定回路は、電流電極１４ａ、１４ｂ、２３ａ、２３ｂのうち選択されたいずれか１対の電流電極によって、生体すなわち利用者に所定の周波数の交流電流を供給する。すなわち、電流電極１４ａ、１４ｂ、２３ａ、２３ｂのいずれか１対および生体を通じて電流経路が形成される。生体の様々な部位のインピーダンスを測定するため、選択される電流電極の対を変更しながら、電流供給を繰り返してもよい。
【００３０】
インピーダンス測定回路は、交流電流の供給に応じて１対の電圧電極１５ａ、１５ｂ、２４ａ、２４ｂのうち選択されたいずれか１対の電圧電極を用いて生体の電圧を測定する。生体の様々な部位のインピーダンスを測定するため、選択される電圧電極の対を変更しながら、電圧測定を繰り返してもよい。電流値および電圧値に基づきインピーダンス値が算出される。インピーダンス測定回路は、インピーダンス値を示す測定値データすなわちインピーダンス信号を生成する。
【００３１】
把持ユニット１８内の基板３４には、生体指標演算処理回路（図示せず）が形成されている。生体指標演算処理回路は、基板３４とコード２６を通じて本体１２内の基板３２の重量測定回路と電気的に接続され、インピーダンス測定回路とも電気的に接続されている。インピーダンス測定回路が本体１２内の基板３２にある場合には、生体指標演算処理回路とインピーダンス測定回路は、コード２６を通じて接続される。
【００３２】
生体指標演算処理回路は、重量測定回路で特定される体重値およびインピーダンス測定回路で算出されるインピーダンス値に基づき生体情報を算出する。算出される生体指標としては、生体の体組成に関する指標が含まれる。体組成に関する指標としては、皮下脂肪厚、腹筋厚、皮下脂肪面積、内臓脂肪面積、腹部全脂肪面積、体幹部脂肪率および全身脂肪率が挙げられる。算出方法は例えばコンピュータプログラムに設定される。
【００３３】
コードリールアセンブリ３５は、リールドラムのケースであるリールベース３６を備える。リールベース３６は例えば透明な樹脂材から成型される。リールベース３６は円板部３６ａを備える。図４および図５に示されるように、円板部３６ａの中心には、円柱形の支柱３７が円板部３６ａと同心に形成されている。円板部３６ａの外縁には円環状の外郭壁３８が形成されている。支柱３７と外郭壁３８との間には収容空間が区画される。
【００３４】
リールベース３６の支柱３７には、リールドラム３９が軸心回りに回転自在に装着される。リールドラム３９は、円板形の支持板４１と、軸受け４２と、第１の円環壁４３と、第１の円環壁４３より小径の第２の円環壁４５とを備える。軸受け４２と、第１の円環壁４３と、第２の円環壁４５は、同心に配置され、支持板４１と一体に成型されている。軸受け４２に支柱３７が受け入れられる。
【００３５】
さらにリールドラム３９は抑え板４７を備え、抑え板４７は第３の円環壁４７ａと円形壁４７ｂを有する。第１の円環壁４３は、抑え板４７の第３の円環壁４７ａに嵌め込まれて固定されている。第３の円環壁４７ａの周囲にコード２６は巻き回される。
【００３６】
抑え板４７の円形壁４７ｂは支持板４１に平行に広がる。第３の円環壁４７ａの半径方向外側では、コード２６は抑え板４７の円形壁４７ｂおよび支持板４１の間に挟み込まれる。円形壁４７ｂおよび支持板４１は例えばコード２６の１本分よりやや大きい間隔で向き合わせられる。したがって、コード２６は抑え板４７および支持板４１の間で螺旋状に巻き回される。
【００３７】
図６に示すように、リールベース３６の外郭壁３８には切り欠き６２が形成されている。巻き回されたコード２６は、この切り欠き６２から引き出されうる。
【００３８】
リールベース３６の外郭壁３８の外周面には、円板部３６ａの中心を中心とする所定の角度範囲おきにフック片５５が固定されている。図４および図６に示されるように、フック片５５には、フック爪５５ａが形成されている。フック爪５５ａとリールベース３６の円板部３６ａとの間に、リールドラム３９は配置され、フック爪５５ａはリールドラム３９の脱落を防止する。フック片５５は、コードリールアセンブリ３５の外側方向に向かって弾性変形することができる。その結果、リールドラム３９はリールベース３６から取り外される。
【００３９】
図４および図５に示されるように、リールドラム３９の第２の円環壁４５と軸受け４２は、ばね室４４を区画する。ばね室４４には、ゼンマイばね４６が収容される。ゼンマイばね４６の内側端は支柱３７に固定されている。ゼンマイばね４６の外側端は第２の円環壁４５に固定されている。ゼンマイばね４６は弾性力によってリールドラム３９に回転力を加える。ゼンマイばね４６の弾性力は、強制的にリールドラム３９にコード２６を巻き取る。
【００４０】
リールドラム３９の支持板４１には、第１の円環壁４３よりやや外側に、貫通する開口４８が形成される。開口４８にコード２６は進入する。図４および図６に示されるように、支持板４１の表側から裏側にコード２６は開口４８から引き出される。支持板４１の裏面には突起４９群が形成される。突起４９同士の間隔は１本のコード２６の太さよりもやや狭く設定される。コード２６は突起４９同士の間に嵌め込まれる。こうしてコード２６はリールドラム３９に固定されている。コード２６の固定にあたって例えばクリップその他の手段が用いられてもよい。リールドラム３９に固定された位置から第２端２６ｂ側でコード２６はリールドラム３９に巻き回されている。
【００４１】
支持板４１の裏面には案内部材５１が取り付けられる。この案内部材５１は筒形に形成されており、リールドラム３９の回転軸と同心である。案内部材５１には、第１開口５２および第２開口５３が形成されている。第１開口５２はリールドラム３９の回転軸上に位置する。第２開口５３は、リールドラム３９の回転軸から半径方向外側に突起４９群に向かって延びる仮想直線上に位置する。このように第２開口５３は第１開口５２から離れている。
【００４２】
図６に示されるように、リールベース３６の外郭壁３８の外側には、支持片５４が取り付けられる。支持片５４は、例えば外郭壁３８に一体化されていてもよい。支持板４１の裏面において、開口４８から引き出されたコード２６は、第２開口５３から案内部材５１の内側に進入する。コード２６は案内部材５１の内側から第１開口５２経由で引き出される。コード２６は第１開口５２から支持片５４に至る。コード２６は支持片５４に掛け止めすなわち固定されている。こうしてコード２６は、第１開口５２および第１端２６ａの間でリールベース３６に固定されている。
【００４３】
第１開口５２は、案内部材５１の高さの分、リールドラム３９の支持板４１から離れている。リールベース３６の外郭壁３８には支持片５４の付近にリム６０が突出している。支持片５４の裏面側では、第１開口５２の口縁とリム６０の間にコード２６は渡されており、この部分では、コード２６はリールドラム３９の支持板４１から離れている。その結果、リールドラム３９の回転時、突起４９群や、コード２６のうち突起４９群から第２開口５３まで延びる部分は、コード２６のうち第１開口５２および支持片５４の間の部分をくぐり抜けることができる。
【００４４】
コード２６は複数本の細線５６を備える。細線５６は導電性の芯材を備える。芯材は例えば銅といった金属材料から形成されている。芯材は絶縁体で覆われる。こうして細線５６同士は電気的に相互に絶縁される。
【００４５】
コード２６はシース５７を備える。シース５７は例えば可撓性の絶縁性材料から形成されている。絶縁性材料には例えば樹脂材が用いられる。シース５７は、細線５６を一括して収容する機能を有する。すなわち、シース５７は、細線５６を束ねる機能を有する。ここでは、コード２６がリールドラム３９に固定された位置（突起４９群に嵌め込まれた位置）から第２端２６ｂの付近まで、シース５７は延びる。つまり、シース５７は、コード２６のうちリールドラム３９に巻き回される部分にて、細線５６を一括して被覆する。
【００４６】
その一方で、コード２６が突起４９群に嵌め込まれた位置から支持片５４に連結される位置までは、シース５７は省略される。この区間では細線５６は剥き出し状態である。図６および図７に示されるように、さらに第１端２６ａまで細線５６を露出させてもよい。
【００４７】
第１および第２コネクター３１、３３には個々の細線５６ごとに接続端子が埋め込まれる。細線５６は個別に接続端子に電気的に接続される。
【００４８】
いま、体組成計１１で本体１２から把持ユニット１８が引き離される場面を想定する。コード２６の第２端２６ｂ側の部分は、リールベース３６の切り欠き６２から引き出される。これに伴いリールドラム３９は支柱３７回りで回転する（図６および図７の矢印方向）。
【００４９】
このとき、図６および図７から明らかなように、リールドラム３９が回転するにつれて、案内部材５１の第２開口５３は第１開口５２回りで回転し、リールドラム３９に固定されている位置（突起４９群）とリールベース３６に固定されている位置（支持片５４）との間でコード２６の捻れが許容される。コード２６の第２端２６ｂ側の部分をリールベース３６の切り欠き６２から引き出せば引き出す程、この部分の捻れは大きくなる。特に、リールドラム３９に固定されている位置とリールベース３６に固定されている位置との間では細線５６が剥き出し状態に維持されることから、厚膜のシース５７で覆われる場合に比べて、コード２６は捻れやすい。コード２６はスムースに限界まで引き出される。
【００５０】
コード２６を引き出す力を解除すると、コード２６は前述のゼンマイばね４６によって、初期の状態に復帰する。
【００５１】
図６および図７から明らかなように、コード２６の引き出しにかかわらず、コードリールアセンブリ３５では、リールドラム３９に固定されている位置（突起４９群）から第２開口５３までリールドラム３９の半径線にほぼ沿ってコード２６が延びている。また、コード２６の引き出しにかかわらず、第１開口５２から、リールベース３６に固定されている位置（支持片５４）までリールドラム３９の半径線にほぼ沿ってコード２６が常に延びている。コード２６の引き出しすなわちリールドラム３９の回転にかかわらず、コード２６のうちのリールドラム３９に固定された位置からリールベース３６に固定された位置までの部分までの長さは不変である。この実施形態によれば、従来のダミーコードを設ける場合に比べて、コードリールアセンブリ３５のコード２６の長さは著しく短縮される。その結果、コードリールアセンブリ３５の製品コストは低減される。
【００５２】
また、この実施の形態では、図６および図７に示される支持板４１の裏側に関しては、コード２６を覆うカバーまたはハウジングは設けられていない。こちら側では、コード２６の引き出しすなわちリールドラム３９の回転にかかわらず、コード２６のうちのリールドラム３９に固定された位置からリールベース３６に固定された位置までの部分までの長さは不変であり、コードが弛むおそれがないためである。ダミーコードを設ける従来の技術では、ダミーコードを巻き回すときに、ダミーコードを抑制するカバーが設けられていたため、カバーの製造コストがかかっていた。しかし、この実施形態によれば、コードリールアセンブリ３５の製品コストは低減される。
【００５３】
以上のようなコードリールアセンブリ３５は、前述の体組成計１１といった生体指標測定装置に適用されるだけでなく、様々な家電製品で利用される。
【００５４】
図８および図９は、他の実施形態に係る体組成計１０１を示す。図８および図９において、前述の実施形態と共通する構成要素を示すために、同一の符号が使用されている。それらの構成要素については詳細には説明しない。この体組成計１０１は、左右１対の握り１２２ａ、１２２ｂを備える。握り１２２ａ、１２２ｂには、それぞれ電極１２３ａ、１２３ｂが設けられている。詳細には図示しないが、電極１２３ａ、１２３ｂの各々には、電流電極と電圧電極が設けられている。被験者は、左右の手のひらがそれぞれ電極１２３ａ、１２３ｂに接触するように、握り１２２ａ、１２２ｂを握る。
【００５５】
図８および図９に示されるように、本体１２の内部には、基板１３２が配置されている。基板１３２にはインピーダンス測定回路が形成されている。インピーダンス測定回路は、プラットフォーム１３上の電流電極１４ａ、１４ｂおよび電圧電極１５ａ、１５ｂと電気的に接続され、さらに、握り１２２ａ、１２２ｂにある電極１２３ａ、１２３ｂとコード２６を通じて電気的に接続されている。基板１３２には、前述と同様の生体指標演算処理回路（図示せず）も形成されている。コード２６の第１端２６ａには、本体１２内の基板１３２が接続されている。コード２６の第２端２６ｂには、握り１２２ａまたは１２２ｂの電極１２３ａまたは１２３ｂが接続されている。第１端２６ａおよび第２端２６ｂの間において、コード２６はコードリールアセンブリ３５を通っている。
【００５６】
コードリールアセンブリ３５の働きで握り１２２ａ、１２２ｂの各々と本体１２との間でコード２６の長さは変更されうる。体組成の測定時、握り１２２ａ、１２２ｂの各々は本体１２から引き離される。体組成の測定が終了すると、握り１２２ａ、１２２ｂは本体１２上の所定位置に収納され、コード２６はコードリールアセンブリ３５内に強制的に引き込まれる。したがって、体組成計１０１の利用者はコード２６の収納作業から解放され、煩わしさは解消される。
【符号の説明】
【００５７】
１１，１０１  体組成計（生体指標測定装置）、１２  本体、１３  プラットフォーム、１８  把持ユニット、２３ａ  電流電極、２３ｂ  電流電極、２４ａ  電圧電極、２４ｂ  電圧電極、２６  コード、２６ａ  第１端、２６ｂ  第２端、３２，１３２  インピーダンス測定回路を有する基板、３５  コードリールアセンブリ、３６  リールベース、３９  リールドラム、５１  案内部材、５２  第１開口、５３  第２開口、５６  細線、５７  シース。
【図１】
2011193950.tif 000003
【図２】
2011193950.tif 000004
【図３】
2011193950.tif 000005
【図４】
2011193950.tif 000006
【図５】
2011193950.tif 000007
【図６】
2011193950.tif 000008
【図７】
2011193950.tif 000009
【図８】
2011193950.tif 000010
【図９】
2011193950.tif 000011